(57)【要約】      （修正有）【課題】人体の痛みに対応する経穴や筋肉を圧迫バンドに備えられた指圧具を提供する。【解決手段】血液循環を順調にしながら治療をする時指圧具１０をそれぞれのポケット２０に個別に収容されるようにした状態で症状別に位置を定めて必要な数だけ選択的に圧迫バンドＢに付けたり外すことができるようにすることによって、指圧磁極を効果的に加えるようになると共に指圧具を皮膚に緊密に密着させることができるようにした圧迫バンド用指圧具であって、人体に指圧磁極を加える多数の突起１１が備えられた指圧具を伸縮性バンドに選択的に付けたり外すことができるように指圧具を前面に網紗２１を備えるが後面に外部に露出されるフック２２’を備えたベルクロ２２を接合してなるポケットに収容し、バンドにフックを備えたベルクロに相応するループ３１を備えたベルクロ３０を広範囲に配置して各ベルクロの相互作用により分離可能に付着された構成とする。【選択図】図５ｂ
2015150418.tif 000002
【特許請求の範囲】
【請求項１】
人体に指圧磁極を加える多数の突起(11)が備えられた指圧具(10)を伸縮性バンド(B)に選択的に付けたり外すことができるように上記指圧具(10)を前面に網紗(21)を備えるが後面に外部に露出されるフック(22')を備えたベルクロ(22)を接合してなるポケット(20)に収容し、上記バンド(B)にフック(22')を備えたベルクロ(22)に対応するループを備えたベルクロ(30)を広範囲に配置して各ベルクロ(22)(30)の相互作用により分離可能に付着された構成を特徴とする圧迫バンド用指圧具。
【発明の詳細な説明】
【技術分野】
【０００１】
本発明は圧迫バンド用指圧具に関するものであって、より詳細には人体の痛みに対応する経穴や筋肉を圧迫バンドに備えられた指圧具で刺激して血液循環を順調にしながら治療をする時、上記指圧具をそれぞれのポケットに個別に収容されるようにした状態で治療するための症状別に位置を定めて必要な数だけ選択的に圧迫バンドに付けたり外すことができるようにすることによって、指圧磁極を効果的に加えるようになると共に指圧具を皮膚に緊密に密着させることができるようにした圧迫バンド用指圧具に関するものである。
【背景技術】
【０００２】
一般に、人体の筋骨格系に発生する痛み性疾患を治療するための民間療法で該当疾患に反応する部位を指で揉んだり道具で押して神経を刺激することによって、血液循環を順調にして疾患や痛みを緩和及び治療するようになった指圧療法が普遍化している。
【０００３】
上記指圧療法に用いられる道具の一例とし、伸縮性が備えられたベルトの両側末にそれぞれマジックテープ（登録商標）を付着し、上記ベルトの適当な部位に多数の金属材突起からなる指圧具を一体に形成して腰に着用するようにした指圧ベルトが実用新案登録第20-299946号または第20-0311331号に公知となったことがある。
【０００４】
このような従来の指圧ベルトは人体の腰や腹部に着用する時、多数の金属材突起が皮膚に分布した経穴を刺激して指圧効果を発揮するようにしたものであるが、上記金属材突起がベルトに一体に固定された状態で人体のいくつかの場所を同時に刺激する過程で治療を要求する部位以外の他の場所まで不要に圧迫磁極を加えるようになることよって、治療効果が半減したことはもちろんむしろ不便と苦痛を誘発する問題があった。
【発明の概要】
【発明が解決しようとする課題】
【０００５】
本発明は上記のような従来の指圧ベルトに指圧具を一体に付着した時に発生する問題を鑑みて発明したもので、その目的は、指圧磁極を加えるようになる指圧具を疾患の症状別に位置を定めて選択的に圧迫バンドに付けたり外すことができる圧迫バンド用指圧具を提供するものである。
【課題を解決するための手段】
【０００６】
このような目的を達成するための本発明は、 人体に指圧磁極を加える多数の突起が備えられた指圧具を伸縮性バンドに選択的に付けたり外すことができるように上記指圧具を前面に網紗を備えるが後面に外部に露出されるフックを備えたベルクロ（登録商標）を接合してなるポケットに収容し、上記バンドにフックを備えたベルクロに相応するループを備えたベルクロを広範囲に配置して各ベルクロの相互作用により分離可能に付着されたものである。
【発明の効果】
【０００７】
このような本発明の圧迫バンド用指圧具は人体に着用する伸縮性バンドに治療するための症状別に指圧具の付着位置を自由に選択することによって、上記指圧具に形成された多数の突起が症状に該当する反応点を正確に刺激して広範囲な部分を刺激する時発生する苦痛を防止しながら治療効果を高めることができ、指圧具に形成された曲面に沿って全部分を均一に圧迫しながら皮膚に緊密に密着するので効率よく指圧磁極を加えることができる長所がある。
【図面の簡単な説明】
【０００８】
【図１】本発明の圧迫バンド用指圧具の分離斜視図である。
【図２ａ】上記圧迫バンド用指圧具の結合相態を正面から示した斜視図である。
【図２ｂ】上記圧迫バンド用指圧具の結合相態を背面から示した斜視図である。
【図３】上記圧迫バンド用指圧具の断面構成図である。
【図４】上記圧迫バンド用指圧具の付着例を示した斜視図である。
【図５ａ】本発明の圧迫バンド用指圧具を人体に着用した例を示す図である。
【図５ｂ】本発明の圧迫バンド用指圧具を人体に着用した例の一部を拡大した断面構成図である。
【発明を実施するための形態】
【０００９】
以下、本発明の圧迫バンド用指圧具を添付図面を参照して説明すると次のようである。
【００１０】
図1は本発明の圧迫バンド用指圧具の分離斜視図であり、図2a及び2bは、上記圧迫バンド用指圧具の結合相態を正面と背面からそれぞれ示した斜視図であり、図3は、上記圧迫バンド用指圧具の断面構成図であって、本発明は人体に指圧磁極を加える多数の突起(11)が備えられた指圧具(10)を伸縮性のバンド(B)に選択的に付けたり外すことができるようしたものである。
【００１１】
上記指圧具(10)は多数の突起(11)がそれぞれ突出するように全面には網紗(21)を備えるが後面には外部に露出されるフック(22')を備えたベルクロ(22)を接合してなるポケット(20)に収容されている。
【００１２】
即ち、上記ポケット(20)は前面の網紗(21)と後面のベルクロ(22)の間に指圧具(10)を位置するようにした状態で網紗(21)とベルクロ(22)の縁部を接合して構成される。
【００１３】
上記指圧具(10)は人体に分布している特定経穴を局部的に刺激することができるようにコインサイズでなり後面のベルクロ(22)に接触する部位は曲面に形成することが好ましい。
【００１４】
図4は、上記圧迫バンド用指圧具の付着例を示した斜視図であり、上記指圧具(10)が収容されたポケット(20)は人体に着用できるように製作された伸縮性バンド(B)に付着するようになるが、上記バンド(B)にはポケット(20)に備えられたフック(22')を備えたベルクロ(22)に相応してループを備えたベルクロ(30)を広範囲に配置して各ベルクロ(22)(30)の相互作用により付着され、自由に分離が可能になる。
【００１５】
従って、指圧治療をするための症状によってバンド(B)に付着される1つ以上のポケット(20)により指圧具(10)の位置を自由に選択した後、図5a及び5bでのように、バンド(B)を着用するようになることによって、上記指圧具(10)に形成された多数の突起(11)が症状に該当する反応点を正確に刺激して広範囲な部分を刺激する時に発生する苦痛を防止しながら治療効果を高めることができる。
【００１６】
上記バンド(B)の伸縮作用により指圧具(10)を圧迫刺激する時、図5bの拡大図でのように、指圧具(10)に形成された曲面に沿って全部分に均一に圧迫が加えられながら皮膚に緊密に密着するので効率よく指圧磁極を加えることができるのである。
【００１７】
一方、上記では指圧具(10)が収容されたポケット(20)にフック(22')を備えたベルクロ(22)が配置されてバンド(B)にはループを備えたベルクロ(30)が配置されて各ベルクロの相互作用により付着及び分離されることを説明したが、相互スナップボタンにより付着及び分離されるようにすることも可能である。
【符号の説明】
【００１８】
10  指圧具
11  突起
20  ポケット
21  網紗
22、30  ベルクロ
22'  フック
31  ループ
B  バンド
【図１】
2015150418.tif 000003
【図２ａ】
2015150418.tif 000004
【図２ｂ】
2015150418.tif 000005
【図３】
2015150418.tif 000006
【図４】
2015150418.tif 000007
【図５ａ】
2015150418.tif 000008
【図５ｂ】
2015150418.tif 000009